(57)【特許請求の範囲】
【請求項１】
撮影条件を設定する設定部と、
被写体を撮像して、前記設定部により設定されている撮影条件に基づいた画像データを生成する撮像部と、
前記画像データを含む画像ファイルを記録媒体に記録する記録制御部と、
前記記録媒体に記録されている画像ファイルのうち削除対象画像ファイルを指定する削除対象画像ファイル指定部と、
前記削除対象画像ファイル指定部により指定された前記削除対象画像ファイルを前記記録媒体から削除する際にユーザにより操作される削除操作部と、
前記削除操作部がユーザにより操作されたことに応じて、前記削除対象画像ファイル指定部により指定された前記削除対象画像ファイルを前記記録媒体から削除する削除制御部と、
前記削除制御部により前記削除対象画像ファイルが前記記録媒体から削除された場合、第１撮影条件に基づいて生成される画像データを含む画像ファイルを前記記憶媒体に記録することが可能となる数である第１記録可能数と、前記削除制御部により前記削除対象画像ファイルが前記記録媒体から削除された場合、前記第１撮影条件とは異なる第２撮影条件に基づいて生成される画像データを含む画像ファイルを前記記憶媒体に記録することが可能となる数である第２記録可能数とを、前記削除対象画像ファイル指定部により指定された前記削除対象画像ファイルが前記削除制御部により前記記録媒体から削除されていない状態において表示部に表示する表示制御部と、
前記表示制御部により前記表示部に表示された前記第１記録可能数及び前記第２記録可能数のいずれかの記録可能数を指定する記録可能数指定部と、
前記表示制御部により前記第１記録可能数及び前記第２記録可能数が前記表示部に表示され且つ前記記録可能数指定部により前記第１記録可能数が指定された状態において前記操作部がユーザにより操作されたことに応じて、前記削除制御部が前記削除対象画像ファイルを前記記録媒体から削除するとともに、前記設定部により設定されている撮影条件が前記第１撮影条件でない場合は前記設定部が前記第１撮影条件を設定し、前記表示制御部により前記第１記録可能数及び前記第２記録可能数が前記表示部に表示され且つ前記記録可能数指定部により前記第２記録可能数が指定された状態において前記操作部がユーザにより操作されたことに応じて、前記削除制御部が前記削除対象画像ファイルを前記記録媒体から削除するとともに、前記設定部により設定されている撮影条件が前記第２撮影条件でない場合は前記設定部が前記第２撮影条件を設定するように制御する制御部とを備えること
を特徴とする撮像装置。
【請求項２】
請求項１に記載の撮像装置において、
前記第１撮影条件及び前記第２撮影条件はいずれも、画質に関する条件であること
を特徴とする撮像装置。
【請求項３】
請求項１又は請求項２に記載の撮像装置において、
前記第１撮影条件及び前記第２撮影条件はいずれも、画像サイズに関する条件であること
を特徴とする撮像装置。
【請求項４】
請求項１から請求項３のいずれか一項に記載の撮像装置において、
前記記録媒体に記録されている画像ファイルのうちＲＡＷ現像対象画像ファイルを指定するＲＡＷ現像対象画像ファイル指定部と、
前記ＲＡＷ現像対象画像ファイル指定部により指定された前記ＲＡＷ現像対象画像ファイルに対してＲＡＷ現像を施すＲＡＷ現像制御部とを更に備え、
前記表示制御部は、前記ＲＡＷ現像制御部により前記ＲＡＷ対象画像ファイルに対して第１現像条件に基づいてＲＡＷ現像が施された場合、前記設定部により設定されている撮影条件に基づいて生成される画像データを含む画像ファイルを前記記憶媒体に記録することが可能となる数である第３記録可能数と、前記ＲＡＷ現像制御部により前記ＲＡＷ現像対象画像ファイルに対して第２現像条件に基づいてＲＡＷ現像が施された場合、前記設定部により設定されている撮影条件に基づいて生成される画像データを含む画像ファイルを前記記憶媒体に記録することが可能となる数である第４記録可能数とを、前記ＲＡＷ現像対象画像ファイル指定部により指定された前記ＲＡＷ現像対象画像ファイルに対して前記ＲＡＷ現像制御部によるＲＡＷ現像が施されていない状態において前記表示部に表示すること
を特徴とする撮像装置。
【請求項５】
請求項４に記載の撮像装置において、
前記第１現像条件及び前記第２現像条件はいずれも、画質に関する条件であること
を特徴とする撮像装置。
【請求項６】
請求項４又は請求項５に記載の撮像装置において、
前記第１現像条件及び前記第２現像条件はいずれも、画像サイズに関する条件であること
を特徴とする撮像装置。
【発明の詳細な説明】
【技術分野】
【０００１】
本発明は、撮像装置に関する。
【背景技術】
【０００２】
次のような画像記録装置が知られている。この画像記録装置は、各画像データの削減余力を判定し、削減余力が大きいと判定した画像データに対してデータ量削減処理を実行することによって、記録媒体の空き容量を増やす（例えば、特許文献１）。
【０００３】
【特許文献１】特開２００６−１８７０３５号公報
【発明の開示】
【発明が解決しようとする課題】
【０００４】
しかしながら、従来の画像記録装置は、削減余力が大きいと判定した画像データに対してデータ量削減処理を実行するため、使用者は、画像処理が実行される以前に、当該処理を行うことによって、記録媒体にどの程度の画像が記録できるようになるのかを把握することができなかった。
【課題を解決するための手段】
【０００５】
請求項１に記載の撮像装置は、撮影条件を設定する設定部と、被写体を撮像して、前記設定部により設定されている撮影条件に基づいた画像データを生成する撮像部と、前記画像データを含む画像ファイルを記録媒体に記録する記録制御部と、前記記録媒体に記録されている画像ファイルのうち削除対象画像ファイルを指定する削除対象画像ファイル指定部と、前記削除対象画像ファイル指定部により指定された前記削除対象画像ファイルを前記記録媒体から削除する際にユーザにより操作される削除操作部と、前記削除操作部がユーザにより操作されたことに応じて、前記削除対象画像ファイル指定部により指定された前記削除対象画像ファイルを前記記録媒体から削除する削除制御部と、前記削除制御部により前記削除対象画像ファイルが前記記録媒体から削除された場合、第１撮影条件に基づいて生成される画像データを含む画像ファイルを前記記憶媒体に記録することが可能となる数である第１記録可能数と、前記削除制御部により前記削除対象画像ファイルが前記記録媒体から削除された場合、前記第１撮影条件とは異なる第２撮影条件に基づいて生成される画像データを含む画像ファイルを前記記憶媒体に記録することが可能となる数である第２記録可能数とを、前記削除対象画像ファイル指定部により指定された前記削除対象画像ファイルが前記削除制御部により前記記録媒体から削除されていない状態において表示部に表示する表示制御部と、前記表示制御部により前記表示部に表示された前記第１記録可能数及び前記第２記録可能数のいずれかの記録可能数を指定する記録可能数指定部と、前記表示制御部により前記第１記録可能数及び前記第２記録可能数が前記表示部に表示され且つ前記記録可能数指定部により前記第１記録可能数が指定された状態において前記操作部がユーザにより操作されたことに応じて、前記削除制御部が前記削除対象画像ファイルを前記記録媒体から削除するとともに、前記設定部により設定されている撮影条件が前記第１撮影条件でない場合は前記設定部が前記第１撮影条件を設定し、前記表示制御部により前記第１記録可能数及び前記第２記録可能数が前記表示部に表示され且つ前記記録可能数指定部により前記第２記録可能数が指定された状態において前記操作部がユーザにより操作されたことに応じて、前記削除制御部が前記削除対象画像ファイルを前記記録媒体から削除するとともに、前記設定部により設定されている撮影条件が前記第２撮影条件でない場合は前記設定部が前記第２撮影条件を設定するように制御する制御部とを備えることを特徴とする。
請求項２に記載の撮像装置は、請求項１に記載の撮像装置において、前記第１撮影条件及び前記第２撮影条件はいずれも、画質に関する条件であることを特徴とする。
請求項３に記載の撮像装置は、請求項１又は請求項２に記載の撮像装置において、前記第１撮影条件及び前記第２撮影条件はいずれも、画像サイズに関する条件であることを特徴とする。
請求項４に記載の撮像装置は、請求項１から請求項３のいずれか一項に記載の撮像装置において、前記記録媒体に記録されている画像ファイルのうちＲＡＷ現像対象画像ファイルを指定するＲＡＷ現像対象画像ファイル指定部と、前記ＲＡＷ現像対象画像ファイル指定部により指定された前記ＲＡＷ現像対象画像ファイルに対してＲＡＷ現像を施すＲＡＷ現像制御部とを更に備え、前記表示制御部は、前記ＲＡＷ現像制御部により前記ＲＡＷ対象画像ファイルに対して第１現像条件に基づいてＲＡＷ現像が施された場合、前記設定部により設定されている撮影条件に基づいて生成される画像データを含む画像ファイルを前記記憶媒体に記録することが可能となる数である第３記録可能数と、前記ＲＡＷ現像制御部により前記ＲＡＷ現像対象画像ファイルに対して第２現像条件に基づいてＲＡＷ現像が施された場合、前記設定部により設定されている撮影条件に基づいて生成される画像データを含む画像ファイルを前記記憶媒体に記録することが可能となる数である第４記録可能数とを、前記ＲＡＷ現像対象画像ファイル指定部により指定された前記ＲＡＷ現像対象画像ファイルに対して前記ＲＡＷ現像制御部によるＲＡＷ現像が施されていない状態において前記表示部に表示することを特徴とする。
請求項５に記載の撮像装置は、請求項４に記載の撮像装置において、前記第１現像条件及び前記第２現像条件はいずれも、画質に関する条件であることを特徴とする。
請求項６に記載の撮像装置は、請求項４又は請求項５に記載の撮像装置において、前記第１現像条件及び前記第２現像条件はいずれも、画像サイズに関する条件であることを特徴とする。
【発明の効果】
【０００６】
本発明によれば、使用者は、画像ファイルを削除することによって記録可能になるファイル数を予め把握することができる。
【発明を実施するための最良の形態】
【０００７】
図１は、本実施の形態におけるデータ記録装置の一実施の形態の構成を示すブロック図である。データ記録装置としては、例えば、取得した画像データを記録することができるカメラ（デジタルカメラ）１００が用いられる。このカメラ１００は、操作部材１０１と、レンズ１０２と、撮像素子１０３と、制御装置１０４と、メモリカードスロット１０５と、モニタ１０６とを備えている。
【０００８】
操作部材１０１は、使用者によって操作される種々の入力部材、例えば電源ボタン、レリーズスイッチ、ズームボタン、十字キー、決定ボタン、再生ボタン、削除ボタン、ヘルプボタンなどを含んでいる。
【０００９】
レンズ１０２は、複数の光学レンズから構成されるが、図１では代表して１枚のレンズで表している。撮像素子１０３は、例えばＣＣＤやＣＭＯＳであり、レンズ１０２により結像した被写体像を撮像して画像を取得する。そして、取得した画像データを制御装置１０４へ出力する。制御装置１０４は、撮像素子１０３で取得された画像データを所定の画像形式、例えばＪｐｅｇ形式に圧縮し、Ｅｘｉｆ（Ｅｘｃｈａｎｇｅａｂｌｅ  Ｉｍａｇｅ  Ｆｉｌｅ  Ｆｏｒｍａｔ  ｆｏｒ  Ｄｉｇｉｔａｌ  Ｓｔｉｌｌ  Ｃａｍｅｒａ）等の所定の形式の画像ファイルを生成してメモリカードスロット１０５へ出力する。
【００１０】
本実施におけるカメラ１００では、使用者は、画像の撮影条件（取得条件）として、あらかじめ画像の記録形式、画質、および画像サイズをメニュー操作により設定することができる。画像の記録形式としては、取得した画像データに対して上述した画像処理を施さずに記録を行うＲＡＷ形式、および上述したＪｐｅｇ形式のいずれかを選択することができる。画質は、画像の記録形式としてＪｐｅｇ形式が選択された場合には、最も高画質なＦＩＮＥ、通常画質のＮＯＲＭＡＬ、低画質のＢＡＳＩＣのいずれかを選択することができる。
【００１１】
また、ＲＡＷ形式の画像とＪＰＥＧ形式のいずれかの画質の両方で画像を記録するようにも指定することができる。例えば、ＲＡＷ形式の画像とＪｐｅｇ形式のＦＩＮＥの両方（ＲＡＷ＋ＦＩＮＥ）で画像を記録するように指定することができる。また、ＲＡＷ形式の画像とＪｐｅｇ形式のＮＯＲＭＡＬの両方（ＲＡＷ＋ＮＯＲＭＡＬ）で画像を記録するようにも指定することができる。また、ＲＡＷ形式の画像とＪｐｅｇ形式のＢＡＳＩＣの両方（ＲＡＷ＋ＢＡＳＩＣ）で画像を記録するようにも指定することができる。
【００１２】
画像サイズも、画質と同様に画像の記録形式としてＪｐｅｇ形式が選択された場合にのみ選択が可能であり、最も大きな記録解像度のＬサイズ、２番目に大きな記録解像度のＭサイズ、最も小さい記録解像度のＳサイズのいずれかを選択することができる。制御装置１０４は、このように使用者によって指定された撮影条件に基づいて、取得した画像データに対して画像処理を施す。このとき、画像処理を行なって生成される画像ファイルのサイズ（ファイルサイズ）は、上述した画像の記録形式、画質、画像サイズによって異なる。すなわち、ファイルサイズは、画像形式がＲＡＷ形式の方が圧縮を行ったＪｐｅｇ形式よりも大きい。また、画像が高画質なほど大きく、さらに画像サイズが大きいほど大きくなる。
【００１３】
例えば、各記録形式、画質、画像サイズごとのファイルサイズは、図２に示すようになる。なお、図２に示す例では、上述したＲＡＷ＋ＦＩＮＥ、ＲＡＷ＋ＮＯＲＭＡＬ、ＲＡＷ＋ＢＡＳＩＣのうち、ＲＡＷ＋ＢＡＳＩＣのみを例示してある。また、画像サイズの単位は、それぞれＭＢである。図２では、ＲＡＷ形式の画像については、上述したように画質や画像サイズ（記録解像度）の設定が変更不能なため、１枚の画像あたりのファイルサイズが１１ＭＢであることを示している。また、ＪＰＥＧ形式で画質がＦＩＮＥの場合には、画像サイズがＬのときは７．３ＭＢ、Ｍのときは４．１ＭＢ、Ｓのときは１．９ＭＢであることを示しており、他は図示した通りである。
【００１４】
なお、カメラ１００では、各記録形式、画質、画像サイズごとの画像が、図２に示すファイルサイズになるように画像処理を行なうが、図２に示すファイルサイズは、あくまでも目標値であり、取得した画像によって、実際のファイルサイズは多少前後することがある。例えば、記録形式＝ＪＰＥＧ形式、画質＝ＦＩＮＥ、画像サイズ＝Ｌの場合に、生成された実際のファイルサイズが７．２ＭＢであったり７．４ＭＢであったりすることもある。
【００１５】
メモリカードスロット１０５は、記憶媒体としてのメモリカードを挿入するためのスロットであり、制御装置１０４から出力された画像ファイルをメモリカードに書き込んで記録する。また、制御装置１０４からの指示に基づいて、メモリカード内に記憶されている画像ファイルを読み込んで再生したり、記録されている画像ファイルを削除したりする。
【００１６】
モニタ１０６は、カメラ１００の背面に搭載された液晶モニタ（背面モニタ）であり、当該モニタ１０６には、メモリカードに記憶されている画像（再生画像）やカメラ１００を設定するための設定メニューなどの種々の情報が表示される。また、制御装置１０４は、撮像素子１０３から時系列で画像を取得してモニタ１０６に出力する。これによって、モニタ１０６には、各フレームの画像が所定時間間隔で順番に表示される。すなわちモニタ１０６にはスルー画が表示される。
【００１７】
制御装置１０４は、ＣＰＵ、メモリ、およびその他の周辺回路により構成され、表示制御部１０４ａと、空き容量判定部１０４ｂと、削除制御部１０４ｃとを機能的に備えている。なお、制御装置１０４を構成するメモリには、バッファメモリとして使用されるＲＯＭ、例えばフラッシュメモリや、ＲＡＭ、例えばＳＤＲＡＭを含む。
【００１８】
表示制御部１０４ａは、使用者からの指示に基づいて、メモリカードに記録されている画像をモニタ１０６に出力して再生表示する。使用者は、モニタ１０６に再生画像が表示されているときに、操作部材１０１に含まれる削除ボタンを押下することによって、表示中の再生画像の画像ファイルをメモリカードから削除するように指示することができる。使用者によって再生画像の画像ファイルの削除が指示された場合には、表示制御部１０４ａは、図３（ａ）に示すような確認画面をモニタ１０６に表示する。
【００１９】
この確認画面には、画像ファイルの削除の可否を問う確認メッセージとともに、ボタン操作を促すための説明を表示する。図３（ａ）に示す例では、画像ファイルの削除の可否を問う確認メッセージとして「削除しますか？」を表示している。また、ボタン操作を促すための説明として、上記確認メッセージに対して「ＹＥＳ」で応答する場合には削除ボタンを押下し、「ＮＯ」で応答する場合には再生ボタンを押下する必要があることを示している。また、「Ｏｐｔｉｏｎ」を選択する場合には、ヘルプボタン（？ボタン）を押下する必要があることを示している。
【００２０】
ここで、「Ｏｐｔｉｏｎ」が選択された場合には、使用者に対してその画像ファイルを削除することによってメモリカード内に記録可能になる画像の枚数に関する情報を提示するようにする。すなわち、使用者がメモリカードに記録されている画像ファイルの削除を指示するときは、メモリカードの空き容量が少なく、空き容量を増やすために削除する場合が多いと考えられる。よって、このことを加味して、使用者が画像を削除する前に、その画像ファイルを削除すると、何枚の画像をさらに撮影できるようになるかを提示するようにする。具体的には、次のように処理する。
【００２１】
空き容量判定部１０４ｂは、使用者によってヘルプボタンが押下されたことを検出した場合には、削除対象の画像ファイルを削除した後のメモリカードの空き容量（削除後の空き容量）を算出する。すなわち、空き容量判定部１０４ｂは、削除対象の画像ファイルを削除する前のメモリカードの空き容量（現在の空き容量）から、削除対象の画像ファイルのデータサイズを減算して、削除後の空き容量を算出する。
【００２２】
そして、空き容量判定部１０４ｂは、削除後の空き容量に基づいて、削除対象の画像ファイルを削除することによって、メモリカードに何枚の画像を記録することが可能になるかを算出する。換言すれば、削除対象の画像ファイルを削除することによって、あと何枚の画像が撮影可能になるかを判定する。そして、表示制御部１０４ａは、空き容量判定部１０４ｂによる判定結果を表示した空き容量情報表示画面をモニタ１０６に表示する。
【００２３】
本実施の形態では、上述したように、画像ファイルのファイルサイズは、取得する画像の記録形式、画質、および画像サイズの設定状況によって異なる。このため、空き容量判定部１０４ｂは、現在設定されている記録形式、画質、および画像サイズに応じたメモリカードに記録できる枚数（記録可能枚数）を算出する。すなわち、空き容量判定部１０４ｂは、算出したメモリカードの削除後の空き容量と、図２に示した各設定状況ごとのファイルサイズとに基づいて、現在の設定状況ごとの記録可能枚数を算出する。
【００２４】
例えば、現在の設定状況が、記録形式＝Ｊｐｅｇ、画質＝ＦＩＮＥ、画像サイズ＝Ｌである場合には、図２に示したように、１枚当たりのファイルサイズは７．３ＭＢであるものとして、現在の設定状況に応じた記録可能枚数を算出する。なお、上述したように、図２に示したファイルサイズは、あくまでも目標値であるが、画像取得時にはこの目標値に近づけるように画像処理が行なわれるため、実際のファイルサイズと目標値との間に大きな差は生じず、問題とはならない。
【００２５】
図３（ｂ）および（ｃ）は、モニタ１０６に表示される空き容量情報表示画面の具体例を示す図である。図３（ｂ）に示す例は、現在の画像サイズの設定状況に応じて記録可能枚数が算出された場合のモニタ１０６への表示結果を示す例である。この例によると、削除対象画像を削除した後は、Ｌサイズの画像を、ＲＡＷ形式の画像であれば５枚、Ｊｐｅｇ形式のＦＩＮＥ画質（ＦＩＮＥ）であれば１０枚、ＢＡＳＩＣであれば２０枚を記録可能、すなわち撮影可能であることを示している。また、これとともに、ヘルプボタン（？ボタン）を押下することにより、図３（ａ）に示した確認画面に戻ることができることも示している。
【００２６】
図３（ｃ）に示す例は、現在の画質の設定状況に応じて記録可能枚数が算出された場合のモニタ１０６への表示結果を示す例である。この例によると、削除対象画像を削除した後は、Ｊｐｅｇ形式のＦＩＮＥ画質の画像を、Ｌサイズであれば１枚、Ｍサイズであれば２枚、Ｓサイズであれば４枚を記録可能、すなわち撮影可能であることを示している。また、これとともに、ヘルプボタン（？ボタン）を押下することにより、図３（ａ）に示した確認画面に戻ることができることも示している。
【００２７】
なお、上述した図３（ｂ）および（ｃ）のいずれの表示形式で記録可能枚数を表示するかは、使用者が任意に選択できるようにしてもよく、あらかじめいずれか一方に決定しておいてもよい。
【００２８】
また、上述したように、画像ファイルのファイルサイズは、取得する画像の記録形式、画質、および画像サイズの設定状況によって異なるため、空き容量判定部１０４ｂは、現在の設定状況に関わらず、各設定状況ごとに、メモリカードに記録できる枚数（記録可能枚数）をそれぞれ算出するようにしてもよい。すなわち、空き容量判定部１０４ｂは、算出したメモリカードの削除後の空き容量と、図２に示した各設定状況ごとのファイルサイズとに基づいて、それぞれの設定状況ごとの記録可能枚数を算出してもよい。そして、表示制御部１０４ａは、空き容量判定部１０４ｂによって判定された各設定状況ごとの記録可能枚数を表示した空き容量情報表示画面をモニタ１０６に表示するようにしてもよい。
【００２９】
この場合の空き容量情報表示画面の具体例について、図４を用いて説明する。図４（ａ）は、メモリカードの削除後の空き容量が２５６ＭＢである場合の記録可能枚数の表示結果を示している。この図４（ａ）に示すように、表示制御部１０４ａは、各設定状況ごとの記録可能枚数を表形式でモニタ１０６に一覧表示する。
【００３０】
例えば、ＦＩＮＥ、すなわちＪｐｅｇ形式のＦＩＮＥ画質の場合について説明する。この撮影条件におけるファイルサイズは、図２に示したように、画像サイズがＬのときは７．３ＭＢ、Ｍのときは４．１ＭＢ、Ｓのときは１．９ＭＢである。このため、２５６ＭＢの空き容量に対して、Ｌサイズは３３枚、Ｍサイズは５８枚、Ｓサイズは１２５枚の画像が記録可能であることがわかる。
【００３１】
また、図４（ｂ）は、メモリカードの削除後の空き容量が２５ＭＢである場合の記録可能枚数の表示結果を示している。例えば、ＦＩＮＥ、すなわちＪｐｅｇ形式のＦＩＮＥ画質の場合についてみると、２５ＭＢの空き容量に対して、Ｌサイズ３枚、Ｍサイズは６枚、Ｓサイズは１３枚の画像が記録可能であることがわかる。
【００３２】
このように使用者は、図３（ａ）に示した確認画面が表示されているときにヘルプボタンを押下することによって、図３（ｂ）、図３（ｃ）、図４（ａ）、または図４（ｂ）に示した空き容量情報表示画面を表示することによって、使用者は、あらかじめメモリカード内に何枚の画像が撮影可能になるかを把握することができる。そして、使用者は、撮影可能枚数を確認した結果、その削除対象画像を本当に削除するか否かを判断することができる。
【００３３】
すなわち、削除対象画像を削除することにより、メモリカード内に使用者が撮影したい枚数の記録容量が確保できる場合、すなわち、使用者が希望する枚数の画像が撮影可能になる場合には、使用者は図３（ａ）に示した確認画面に戻り、確認画面表示中に削除ボタンを押下して削除対象画像の削除を実行すればよい。これに対して、削除対象画像を削除しても、メモリカード内に使用者が撮影したい枚数の記録容量が確保できない場合、すなわち、使用者が希望する枚数の画像が撮影可能にならない場合には、使用者は図３（ａ）に示す画面に戻り、確認画面表示中に再生ボタンを押下して削除対象画像の削除をキャンセルすればよい。
【００３４】
削除制御部１０４ｃは、使用者によって確認画面を表示中に削除ボタンが押下されることにより削除対象画像の削除が指示された場合には、削除対象画像の画像ファイルをメモリカード内から削除する。これによって、メモリカード内の空き容量を増やすことができる。
【００３５】
図５は、本実施の形態におけるカメラ１００の処理を示すフローチャートである。図５に示す処理は、カメラ１００の電源がオンされると起動するプログラムとして、制御装置１０４により実行される。
【００３６】
ステップＳ１０において、表示制御部１０４ａは、使用者によって操作部材１０１に含まれる再生ボタンが押下されることによって、メモリカードに記録されている画像の再生が指示されたか否かを判断する。否定判断した場合には、後述するステップＳ１００へ進む。これに対して、肯定判断した場合には、ステップＳ２０へ進む。
【００３７】
ステップＳ２０では、表示制御部１０４ａは、メモリカード内に記録されている画像をモニタ１０６に出力して再生する。なお、使用者によって十字キーが操作された場合には、表示制御部１０４ａは、その操作内容に応じて順次、モニタ１０６に表示する画像を切り替える。その後、ステップＳ３０へ進む。
【００３８】
ステップＳ３０では、表示制御部１０４ａは、使用者によって削除ボタンが押下されることによって、再生中の画像の削除が指示されたか否かを判断する。否定判断した場合には、後述するステップＳ１００へ進む。これに対して、肯定判断した場合には、ステップＳ４０へ進み、表示制御部１０４ａは、図３（ａ）に示した確認画面をモニタ１０６に表示して、ステップＳ５０へ進む。
【００３９】
ステップＳ５０では、空き容量判定部１０４ｂは、確認画面の表示中に、使用者によってヘルプボタンが押下されることにより、撮影可能枚数の表示、すなわち空き容量情報表示画面の表示が指示されたか否かを判断する。否定判断した場合には、後述するステップＳ８０へ進む。これに対して、肯定判断した場合には、ステップＳ６０へ進む。ステップＳ６０では、空き容量判定部１０４ｂは、上述したように、削除対象の画像ファイルを削除した後のメモリカードの空き容量（削除後の空き容量）を算出する。そして、当該削除後の空き容量と図２に示した各設定状況ごとのファイルサイズとに基づいて、削除対象の画像ファイルを削除した後のメモリカードの記録可能枚数を算出する。その後、ステップＳ７０へ進む。
【００４０】
ステップＳ７０では、表示制御部１０４ａは、空き容量判定部１０４ｂで算出された記録可能枚数に基づいて、図３（ｂ）、図３（ｃ）、図４（ａ）、または図４（ｂ）に示した空き容量情報表示画面をモニタ１０６へ表示する。その後、ステップＳ８０へ進み、削除制御部１０４ｃは、図３（ａ）に示した確認画面を表示中に使用者によって削除ボタンが押下されたか否かを判断する。否定判断した場合には、後述するステップＳ１００へ進む。これに対して、肯定判断した場合には、ステップＳ９０へ進み、削除制御部１０４ｃは、削除対象の画像をメモリカード内から削除して、ステップＳ１００へ進む。
【００４１】
ステップＳ１００では、制御装置１０４は、カメラ１００の電源がオフされたか否かを判断する。否定判断した場合には、ステップＳ１０へ戻って処理を繰り返す。一方、肯定判断した場合には、処理を終了する。
【００４２】
以上説明した本実施の形態によれば、以下のような作用効果を得ることができる。
（１）取得した画像データが、そのデータサイズ（取得データサイズ）があらかじめ設定されたデータ取得条件、すなわち記録形式、画質、および画像サイズに応じたデータサイズになるように画像処理を施した後に、画像ファイルを記録媒体としてのメモリカードに記録されている。このとき、メモリカードに記録された画像ファイルの中から、使用者の指示に基づいて、削除対象とする削除対象データを特定し、特定した削除対象データのデータサイズ（削除データサイズ）を取得する。そして、メモリカードの残容量、削除データサイズ、および取得データサイズに基づいて、削除対象データを削除することによってメモリカードに記録可能となる画像ファイルの数（記録可能データ数）を算出し、その算出結果をモニタ１０６に表示するようにした。これによって、使用者は、削除対象の画像ファイルを削除する前に、その画像ファイルを削除することによって、さらに何枚の画像を撮影することができるかを把握することができる。
【００４３】
（２）空き容量判定部１０４ｂは、画像取得条件ごとに記録可能となる画像ファイルの数を算出して表示するようにした。これによって、使用者は、削除対象の画像ファイルを削除することによって撮影可能になる枚数を、各取得条件ごとに把握することができる。
【００４４】
―変形例―
なお、上述した実施の形態のデータ記録装置は、以下のように変形することもできる。（１）上述した実施の形態では、データ記録装置として、取得した画像データを記録することができるカメラ（デジタルカメラ）１００を用いる例について説明した。しかしながら、本発明は、画像データ以外の他のデータ、例えば動画データや音声データ等を記録媒体に記録する他の機器、例えばビデオカメラ、携帯電話、またはＩＣレコーダーなどに適用することも可能である。
【００４５】
（２）上述した実施の形態では、使用者によって、再生画像の削除が指示されたときに図３（ａ）に示した確認画面を表示するようにし、確認画面表示中に、使用者によってヘルプボタンが押下されたときに、空き容量情報表示画面をモニタ１０６へ表示する例について説明した。しかしながら、空き容量情報表示画面を表示ために操作するボタンは、ヘルプボタンに限らず、他のボタンとしてもよい。また、使用者によって確認画面表示中にボタン操作が行われたときに空き容量情報表示画面を表示するだけでなく、例えば、メモリカードの残容量が少ないときに、使用者によって再生画像の削除が指示された場合に、メモリカードへの記録可能枚数に関する情報を表示するようにしてもよい。この場合、表示制御部１０４ａは、メモリカードの残容量が全容量の１０％以下になった場合に、メモリカードの残容量が少ないと判定して空き容量情報表示画面を表示するようにしてもよい。
【００４６】
（３）上述した実施の形態では、画像ファイルを記録媒体としてのメモリカードに記録する例について説明した。しかしながら、カメラ１００に内蔵されたフラッシュメモリやハードディスクドライブなどの他の記録媒体または記録装置に記録する場合にも本発明は適用可能である。
【００４７】
（４）上述した実施の形態では、使用者は、空き容量情報表示画面で削除対象の画像を削除した後の記録可能枚数を確認した後、確認画面に戻って再度削除ボタンを押下することによって画像を削除する例について説明した。しかしながら、空き容量情報表示画面を表示中に削除ボタンを押下することによって、画像を削除できるようにしてもよい。このとき、空き容量情報表示画面上に表示された記録可能枚数の中から、いずれか１つを選択してから削除ボタンを押下することによって、削除対象画像を削除するとともに、カメラ１００の撮影条件（データ取得条件）を、選択された記録可能枚数に対応する条件に自動的に設定するようにしてもよい。
【００４８】
例えば、現在の撮影条件が、記録形式＝ＪＰＥＧ形式、画質＝ＦＩＮＥ、画像サイズ＝Ｌである場合について説明する。この場合、図３（ｂ）に示した空き容量情報表示画面上で、ＲＡＷ画像の記録可能枚数である５枚が選択された後に削除ボタンが押下された場合には、画像を削除するとともに、取得する画像の記録形式の設定をＪｐｅｇからＲＡＷに変更する。また、図３（ｃ）に示した空き容量情報表示画面上で、Ｍサイズの記録可能枚数である２枚が選択された後に削除ボタンが押下された場合には、画像を削除するとともに、取得する画像の画像サイズをＬからＭに変更する。
【００４９】
また、図４（ａ）に示した空き容量情報表示画面上で、ＢＡＳＩＣのＭサイズの記録可能枚数である２１６枚が選択された後に削除ボタンが押下された場合には、画像を削除するとともに、取得する画像の画質をＦＩＮＥからＢＡＳＩＣに変更し、さらに取得する画像の画像サイズをＬからＭに変更する。これによって、使用者は、空き容量情報表示画面上で何枚の画像を撮影したいかを選択するだけで、画像の削除とカメラ１００の撮影条件の設定変更とを同時に行うことができ、利便性が向上する。
【００５０】
（５）上述した実施の形態では、再生中の画像を削除対象とし、その画像を削除した後の記録可能枚数を表示可能とした。しかしながら、削除対象画像を複数枚選択し、該選択された画像を削除した後の記録可能枚数を表示してもよい。この場合、選択された複数の削除対象画像の画像ファイルを削除する前のメモリカードの空き容量（現在の空き容量）から、選択された複数の削除対象画像の画像ファイルのデータサイズを減算して、削除後の空き容量を算出する。削除対象画像を複数枚選択する場合の処理については、変形例２において詳細に説明する。
【００５１】
（６）上述した実施の形態では、削除対象画像の画像ファイルを削除する前のメモリカードの空き容量（現在の空き容量）から、削除対象画像の画像ファイルのデータサイズを減算して、削除後の空き容量を算出し、該空き容量と各種設定状況ごとのファイルサイズとに基づいて、削除対象画像の画像ファイルを削除した後のメモリカードの記録可能枚数を算出した。しかしながら、削除対象画像の画像ファイルのデータサイズから、削除後に増加する空き容量を算出してもよい。この場合、該空き容量と各種設定状況ごとのファイルサイズとに基づいて、削除対象画像の画像ファイルを削除した後に増加するメモリカードの記録可能枚数を算出することができる。使用者は、削除対象画像の画像ファイルを削除することにより増加する記録可能枚数を直接的に把握できる。
【００５２】
なお、本発明の特徴的な機能を損なわない限り、本発明は、上述した実施の形態における構成に何ら限定されない。
【００５３】
−変形例２−
以下に、上述した実施の形態の変形例２について説明する。変形例２によるデータ記録装置の構成は、図１に示した上記実施の形態と同様である。変形例２によるデータ記録装置は、削除対象画像を複数枚選択できるように構成されている。具体的には、複数枚の画像を一覧表示するサムネイル表示画面において、使用者が削除したいと希望する複数枚の画像を選択すると、選択された複数枚の画像を削除した後のメモリカードの記録可能枚数を表示する。
【００５４】
使用者による操作部材１０１の操作により、表示制御部１０４ａは、メモリカード内に記録されている複数の画像をモニタ１０６に出力して再生する。サムネイル表示画面において、使用者は十字キーを操作することによって所望の画像を選択することができる。図６に、４枚の画像を一覧表示するサムネイル表示画面の一例を示す。図６に示すサムネイル表示画面では、左上の画像にカーソル２０がおかれ、左上の画像と右上の画像とが選択されている。
【００５５】
この状態で、使用者によって削除ボタンが押下されると、表示制御部１０４ａは選択された画像の削除が指示されたと判断し、図６に示すようなサムネイル表示画面中に空き容量情報表示部２１を表示する。なお、空き容量情報表示部２１は、画像削除の指示に応じてサムネイル表示画面にポップアップで表示してもよいし、サムネイル画像と重ならないようにサムネイル表示画面の下部に表示するようにしてもよい。
【００５６】
空き容量情報表示部２１には、選択した複数の画像を削除することによって、メモリカードに何枚の画像を記録することが可能になるか表示する。空き容量情報表示部２１の表示内容の例を以下に示す。
【００５７】
（１）空き容量情報表示部２１に、削除対象画像の画像ファイルを削除する前のメモリカードの空き容量、具体的には、現在の撮影条件による記録可能枚数を表示する。さらに、空き容量情報表示部２１に、選択した削除対象画像の画像ファイルを削除したときのメモリカードの空き容量、具体的には、現在の撮影条件による記録可能枚数を表示する。ここで、空き容量情報表示部２１には、削除対象画像を削除した場合のメモリカード全体の記録可能枚数、あるいは、削除対象画像を削除することによって増加する記録可能枚数を表示する。
【００５８】
（２）空き容量情報表示部２１に、削除対象画像の画像ファイルを削除する前のメモリカードの空き容量、具体的には、現在の撮影条件による記録可能枚数を表示する。さらに、空き容量情報表示部２１に、選択した削除対象画像の画像ファイルを削除したときのメモリカードの空き容量、具体的には、データサイズが最も小さくなる撮影条件による記録可能枚数を表示する。ここで、データサイズが最も小さくなる撮影条件とは、記録形式＝ＪＰＥＧ形式、画質＝ＢＡＳＩＣ，画像サイズ＝Ｓの場合である。データサイズが最も小さくなる撮影条件による記録可能枚数を表示することで、削除対象画像を削除した場合にメモリカードに記録できる最大の枚数を使用者に知らせることができる。
【００５９】
（３）空き容量情報表示部２１に、選択した削除対象画像の画像ファイルを削除したときの記録可能枚数を撮影条件ごとに表示する。例えば、空き容量情報表示部２１に、記録形式をＲＡＷ形式とした場合の記録可能枚数、記録形式をＪＰＥＧ形式として画質をＦＩＮＥとした場合の記録可能枚数、および記録形式をＪＰＥＧ形式として画質をＢＡＳＩＣとした場合の記録可能枚数をそれぞれ表示する。
【００６０】
このように、複数枚の削除対象画像を削除した場合の記録可能枚数を表示することで、使用者はこれらの画像を削除することによってどの程度の画像をメモリカードに記録できるようになるかを予め容易に把握することができる。
【００６１】
なお、空き容量情報表示部２１には、記録可能枚数の代わりに削除対象画像を削除することで発生するメモリカードの空き容量を表示するようにしてもよい。また、現在のデジタルカメラ１００の動作モードが静止画撮影モードの場合に、空き容量情報表示部２１に静止画の撮影可能枚数を表示し、動作モードが動画撮影モードの場合に、空き容量情報表示部２１に動画の撮影可能時間（秒あるいは分）を表示するようにしてもよい。
【００６２】
−変形例３−
変形例３によるデータ記録装置では、変形例２で説明したように複数枚の削除対象画像を選択する場合に、削除対象画像を削除するとともに、デジタルカメラ１００の撮影条件（データ取得条件）を、選択された記録可能枚数に対応する条件に自動的に設定する。
【００６３】
例えば、複数枚の削除対象画像を選択した後、削除ボタンが押下されると、図７（ａ）に示すような空き容量情報表示画面がモニタ１０６に表示される。図７（ａ）に示す空き容量情報表示画面上では、現在設定されている画質を示すＦＩＮＥにカーソル３０が置かれている。使用者は十字キーを操作してカーソル３０を移動し、所望の画質を選択して決定ボタンを押す。この状態から使用者が削除ボタンを押すと、選択した複数枚の削除対象画像を削除するとともに、取得する画像の画質を現在の画質から新たに選択された画質に変更する。
【００６４】
また、複数枚の削除対象画像を選択した後、削除ボタンが押下されると、図７（ｂ）に示すような空き容量情報表示画面をモニタ１０６に表示するようにしてもよい。図７（ｂ）に示す空き容量情報表示画面上では、現在設定されている画像サイズを示すＭにカーソル３０が置かれている。使用者は十字キーを操作してカーソル３０を移動し、所望の画像サイズを選択して決定ボタンを押す。この状態から使用者が削除ボタンを押すと、選択した複数枚の削除対象画像を削除するとともに、取得する画像の画像サイズを現在の画像サイズから新たに選択された画像サイズに変更する。
【００６５】
なお、図７（ａ）の空き容量情報表示画面と図７（ｂ）の空き容量情報表示画面とを切り換えて表示し、画質と画像サイズとを選択してから、選択した複数の削除対象画像を削除するようにしてもよい。
【００６６】
−変形例４−
以下に、上述した実施の形態によるデータ記録装置の変形例４について説明する。変形例４によるデータ記録装置の構成は、図１に示した上記実施の形態と同様である。変形例４では、デジタルカメラ１００でＲＡＷ現像を行った後のメモリカードの記録可能枚数を表示する。ＲＡＷ現像とは、画像処理を施さずに記録されたＲＡＷ形式の画像（ＲＡＷ画像）に対して、デジタルカメラ１００内で補完して階調補正やホワイトバランス調整等の画像処理を施し、ＪＰＥＧ形式の新たな画像を作成して記録する処理である。
【００６７】
デジタルカメラ１００においてＲＡＷ現像を行うと、メモリカードにはＲＡＷ現像によって作成されたＪＰＥＧ形式の画像が記録されるので、メモリカードの残容量が減少する。そこで、ＲＡＷ現像を実際に行う前に、ＲＡＷ現像を行った後にメモリカードにどの程度の空き容量が残るかを使用者に知らせる。
【００６８】
表示制御部１０４ａは、使用者による操作部材１０１の操作に応じて図８に示すようなＲＡＷ現像メニュー画面をモニタ１０６に表示する。図８に示すように、ＲＡＷ現像メニュー画面には、ＲＡＷ現像において設定可能な５つのパラメータが表示される。すなわち、ＲＡＷ現像メニュー画面において、ＲＡＷ現像後の画像の画質モード、画像サイズ、ホワイトバランス、露出補正、および仕上がり設定を選択することができる。
【００６９】
画質モードは、ＦＩＮＥ，ＮＯＲＭ，およびＢＡＳＩＣを含む。画像サイズは、Ｌサイズ、Ｍサイズ、およびＳサイズを含む。ホワイトバランスは、ＡＵＴＯ，電球、蛍光灯、晴天、フラッシュ、曇天、晴天日陰、およびプリセットマニュアルを含む。露出補正は、−３〜＋３の範囲内で設定可能である。仕上がり設定は、標準、ソフトに、鮮やかに、より鮮やかに、ポートレート、白黒、およびカスタマイズを含む。
【００７０】
空き容量判定部１０４ｂは、ＲＡＷ現像メニュー画面において設定された条件でＲＡＷ現像を行った場合のメモリカードの残容量を算出する。具体的には、ＲＡＷ現像用に設定された画質モードおよび画像サイズに基づいて、図２に示したファイルサイズに従ってＲＡＷ現像後にメモリカードに記録できる枚数を算出する。
【００７１】
図９に、ＲＡＷ現像の設定状況ごとの記録可能枚数を表示した空き容量情報表示画面の一例を示す。図９は、現在のデジタルカメラ１００の撮影条件を、記録形式＝ＪＰＥＧ形式、画質＝ＮＯＲＭ，画像サイズ＝Ｓとし、現在のメモリカードの残容量を１２０ＭＢとした場合に、１枚の画像をＲＡＷ現像した後の撮影可能枚数を示す。例えば、現在の撮影条件と同様に、画質モードをＮＯＲＭ，画像サイズをＳに設定してＲＡＷ現像を行ったとすると、ＲＡＷ現像後、現在の撮影条件での記録可能枚数は１１９枚となる。一方、画質モードをＦＩＮＥ、画像サイズをＬに設定してＲＡＷ現像を行ったとすると、ＲＡＷ現像後、現在の撮影条件での記録可能枚数は１１２枚となる。
【００７２】
図８に示すようにＲＡＷ現像メニュー画面の下方に空き容量情報表示部４０を設け、空き容量情報表示部４０に、ＲＡＷ現像用に設定された画質モードおよび画像サイズに基づくＲＡＷ現像後の記録可能枚数を表示するようにしてもよい。この場合、例えば空き容量情報表示部４０に、ＲＡＷ現像前の現在の撮影条件での記録可能枚数と、設定された条件でＲＡＷ現像を行った場合の、現在の撮影条件での記録可能枚数とを表示する。
【００７３】
図８に示すＲＡＷ現像メニュー画面において画質モードの項目を選択すると、画質モードごとの記録可能枚数を表示する空き容量情報表示画面を表示するようにしてもよい。例えば、ＲＡＷ現像メニュー画面において使用者による操作部材１０１の操作により画質モードの項目が選択されると、図１０（ａ）に示すような空き容量情報表示画面をモニタ１０６に表示する。
【００７４】
また、図８に示すＲＡＷ現像メニュー画面において画像サイズの項目を選択すると、画像サイズごとの記録可能枚数を表示する空き容量情報表示画面を表示するようにしてもよい。例えば、ＲＡＷ現像メニュー画面において使用者による操作部材１０１の操作により画像サイズの項目が選択されると、図１０（ｂ）に示すような空き容量情報表示画面をモニタ１０６に表示する。
【００７５】
図８の空き容量情報表示部４０、図９に示す空き容量情報表示画面、および図１０（ａ）（ｂ）に示す空き容量情報表示画面のうち、いずれの画面を表示するようにするかは、予め設定してもよいし、使用者の好みに応じて選択できるように構成してもよい。
【００７６】
以上では、ＲＡＷ現像メニュー画面において設定した条件でＲＡＷ現像画像を１枚作成する場合を例として説明した。なお、同じ条件でＲＡＷ現像画像を複数枚作成する場合の、ＲＡＷ現像後の記録可能枚数を空き容量情報表示画面に表示するようにしてもよい。
【００７７】
なお、変形例４を上述した実施の形態〜変形例３と組み合わせてもよい。すなわち、データ記録装置が、削除対象画像を削除することによってメモリカードに記録可能となる記録可能枚数を、実際の削除実行前に表示する機能と、ＲＡＷ現像後にメモリカードに記録可能となる記録可能枚数を、ＲＡＷ現像を実際に実行する前に表示する機能とを備えるように構成してもよい。
【００７８】
以上説明したように、本発明の実施の形態および変形例によるデータ記録装置は、記録媒体に記録されたデータの中から使用者の指示に基づいてデータ処理を行う際に、データ処理を行うことによって記録媒体に記録可能となるデータの数を、データ処理を実行する前に表示装置に表示する。これにより、使用者は、実際にデータ処理を行う前にデータ処理後の記録可能枚数を予め把握することができる。ここで、データ処理は、記録媒体からのデータの削除処理、および記録媒体に記録されたデータに基づいて新たなデータを作成し、記録媒体に記録するデータ作成処理の少なくともいずれかを含む。
【図面の簡単な説明】
【００７９】
【図１】データ記録装置の一実施の形態の構成を示すブロック図である。
【図２】画像の記録形式、画質、画像サイズごとのファイルサイズの具体例を示す図である。
【図３】確認画面および空き容量情報表示画面のモニタへの表示例を示す図である。
【図４】空き容量情報表示画面のモニタへの表示例を示す図である。
【図５】カメラ１００の処理を示すフローチャート図である。
【図６】変形例２における空き容量情報表示画面を示す図である。
【図７】変形例３における空き容量情報表示画面を示す図である。
【図８】変形例４における空き容量情報表示画面を示す図である。
【図９】変形例４における空き容量情報表示画面の別の例を示す図である。
【図１０】変形例４における空き容量情報表示画面の別の例を示す図である。
【符号の説明】
【００８０】
１００  カメラ、１０１  操作部材、１０２  レンズ、１０３  撮像素子、１０４  制御装置、１０４ａ  表示制御部、１０４ｂ  空き容量判定部、１０４ｃ  削除制御部、１０５  メモリカードスロット、１０６  モニタ
【図１】
0005115367.tif 000002
【図２】
0005115367.tif 000003
【図３】
0005115367.tif 000004
【図４】
0005115367.tif 000005
【図５】
0005115367.tif 000006
【図６】
0005115367.tif 000007
【図７】
0005115367.tif 000008
【図８】
0005115367.tif 000009
【図９】
0005115367.tif 000010
【図１０】
0005115367.tif 000011